(57)【要約】【課題】蒸発潜熱によりベビーカー周辺の温度を下げ、日差しがきつい屋外においても赤ちゃんが快適に過ごすことができ、かつ簡易に取り付けることが可能な噴霧器付きベビーカーの提供を目的とする。【解決手段】赤ちゃんを載置するシート部を支持する支持構造体を備え、該支持構造体に、水が収容されたタンクと、該タンクからポンプと該ポンプに連通された配管とを介して該配管の先端に取り付けられた噴霧ノズルとが設けられ、該噴霧ノズルが赤ちゃんの頭部から離間した状態で固定され、該噴霧ノズルからミスト状の噴霧が赤ちゃんの体の周辺に向けて噴出されることを特徴とする。【選択図】図１
0003150694.tif 000002
【実用新案登録請求の範囲】
【請求項１】
赤ちゃんを載置するシート部を支持する支持構造体を備え、
該支持構造体に、水が収容されたタンクと、該タンクからポンプと該ポンプに連通された配管とを介して該配管の先端に取り付けられた噴霧ノズルとが設けられ、該噴霧ノズルが赤ちゃんの頭部から離間した状態で固定され、該噴霧ノズルからミスト状の噴霧が赤ちゃんの体の周辺に向けて噴出されることを特徴とするベビーカー。
【請求項２】
赤ちゃんを載置するシート部を支持する支持構造体を備え、
該支持構造体に、水が収容されたタンクと、該タンクからポンプと該ポンプに連通された配管とを介して該配管の先端に取り付けられた供給口とが赤ちゃんの頭部から離間した状態で固定され、該供給口から赤ちゃんの頭部上に設けられた日除け上に水が供給されることを特徴とするベビーカー。
【請求項３】
赤ちゃんを載置するシート部を支持する支持構造体を備え、
該支持構造体に設けられた日除けの上方に、水が収容された容器が、前記支持構造体から延設された容器支持部を介して取り付けられ、
前記容器に取り付けられた供給口から赤ちゃんの頭部上に設けられた日除け上に水が供給されることを特徴とするベビーカー。
【考案の詳細な説明】
【技術分野】
【０００１】
本考案は、ベビーカーに関する。
【背景技術】
【０００２】
従来から、赤ちゃんには、夏の強い日差しへの対策として、帽子を被せたり、白い服を着せたりして、暑さ対策をさせている。それだけでは充分ではないので、ベビーカーには、赤ちゃんを強い日差しから守るために、日除けが設けられている。日除け付きベビーカーとしては、ベビーカーのフレームに固定されたものや、折りたたみ式のもの等、非常に多くの種類のベビーカーが販売されている。当該日除けは、赤ちゃんの体や顔の部分に日陰を作り出し、直射日光による紫外線から赤ちゃんを守るためのものであり、赤ちゃんを日陰に入れることにより、赤ちゃんを暑さから守っている。
【０００３】
夏の暑い時期になると、ベビーカーの日除けだけでは、暑さをしのぐのに充分ではなく、遊園地や海水浴場等の屋外では、ベビーカーに乗っている赤ちゃんは、周囲の温度上昇により熱中症や、脱水症状になったり、汗によってかぶれてしまうなどの問題がある。
【０００４】
ところで、近年エコが叫ばれており、夏場の電力も供給がおぼつかないという事情のもと、最近の新聞等の記事によれば、省エネルギー型の外気冷却システムが、たとえば六本木ヒルズ一角で稼働を始めたようである。このシステムは、ノズルから噴霧する超微細な水滴の気化熱によってヒーリング効果をもたらし、２度から３度の冷却効果が得られ、涼しさを感じられるという。
【考案の概要】
【考案が解決しようとする課題】
【０００５】
このような発想をベビーカーに適用したものは従来存在せず、上記発想をベビーカーに適用できないかと、本考案者は鋭意検討し、太陽光を遮断するだけでなく、積極的にベビーカー周辺の温度を下げることができる簡単な装置に想い到った。
【０００６】
すなわち、本考案は、蒸発潜熱によりベビーカー周辺の温度を下げ、日差しがきつい屋外においても赤ちゃんが快適に過ごすことができ、かつ簡易に取り付けることが可能な噴霧器付きベビーカーの提供を目的とする。
【課題を解決するための手段】
【０００７】
本考案の第１の態様にかかわるベビーカーは、赤ちゃんを載置するシート部を支持する支持構造体を備え、該支持構造体に、水が収容されたタンクと、該タンクからポンプと該ポンプに連通された配管とを介して該配管の先端に取り付けられた噴霧ノズルとが設けられ、該噴霧ノズルが赤ちゃんの頭部から離間した状態で固定され、該噴霧ノズルからミスト状の水が赤ちゃんの体の周辺に向けて噴出されることを特徴とする。
【０００８】
本考案の第２の態様にかかわるベビーカーは、赤ちゃんを載置するシート部を支持する支持構造体を備え、該支持構造体に、水が収容されたタンクと、該タンクからポンプと該ポンプに連通された配管とを介して該配管の先端に取り付けられた供給口とが赤ちゃんの頭部から離間した状態で固定され、該供給口から赤ちゃんの頭部上に設けられた日除け上に供給されることを特徴とする。
【０００９】
本考案の第２の態様では、供給口より水を放出し、日除けに水を供給することによって、打ち水を行なったときのように、撒いた水が蒸発することで熱を奪い、それによりわずかではあるが、気温を下げる効果を狙ったものである。
【００１０】
本考案の第３の態様にかかわるベビーカーは、赤ちゃんを載置するシート部を支持する支持構造体を備え、該支持構造体に設けられた日除けの上方に、水が収容された容器が、前記支持構造体から延設された容器支持部を介して取り付けられ、前記容器に取り付けられた供給口から赤ちゃんの頭部上に設けられた日除け上に水が供給されることを特徴とする。
【００１１】
本考案の第３の態様では、ポンプおよび供給管は不要であり、低コストで気温を下げる効果を狙ったものである。
【００１２】
なお、本考案においては、水とは、水以外に弱酸性水や香料を含む水も範疇に入る概念である。
【考案の効果】
【００１３】
本考案の噴霧器付きベビーカーによれば、蒸発潜熱によりベビーカー周辺の赤ちゃんの周囲の温度を下げ、日差しがきつい屋外においても赤ちゃんが快適に過ごすことができる。
【図面の簡単な説明】
【００１４】
【図１】本考案の実施の形態１にかかわるベビーカーの斜視図である。
【図２】本考案のベビーカーに用いられる噴霧ノズルの一例を示す図である。
【図３】本考案のベビーカーに用いられるスイッチを示す模式図である。
【図４】本考案の実施の形態２にかかわるベビーカーの概略図である。
【図５】本考案の実施の形態３にかかわるベビーカーの概略図である。
【考案を実施するための形態】
【００１５】
以下、添付図面に基づいて本考案の噴霧器付きベビーカーについて説明する。
【００１６】
図１は本考案の実施の形態１におけるベビーカーの斜視図、図２は本考案の実施の形態１におけるベビーカーに取り付けられる噴霧ノズルの一例を示す図、図３は本考案のベビーカーに用いられる噴霧ノズルの構成の一例を示す概略図、図４は本考案の実施の形態２におけるベビーカーを示す図、図５は本考案の実施の形態３におけるベビーカーを示す図である。
【００１７】
実施の形態１
図１に示すように、本実施の形態にかかわるベビーカー１は、赤ちゃんを載置するシート部２を支持する支持構造体を備えている。支持構造体は、フレームＦ１、Ｆ２、Ｆ３や赤ちゃんの荷物等を収容する収容部Ｃが含まれる概念である。フレームＦ１、Ｆ２、Ｆ３や収容部Ｃに、水が収容されたタンク４を設けることができる。図１においてタンク４は
シート部２の下部に設けられた収容部Ｃ内に収容されているが、収容部Ｃは、シート部２の下部に設ける必要はなく、シート部２の背面、側面に設けることができ、特にその位置は限定されることはない。また、タンク４は、フレームＦ１、Ｆ２、Ｆ３などに引っ掛けることによりベビーカー１に搭載可能であり、その位置は限定されることはない。
【００１８】
タンク４には、水を吸い上げるポンプ５が接続されており、ポンプ５により吸い上げられた水は、ポンプ５に連通した配管７を介して、配管７の先端に取り付けられた噴霧ノズル６に送られ、噴霧される。
【００１９】
ポンプ５は、バッテリーが内蔵されていてもよく、所定の圧力で水を吸い出すことのできるポンプであれば、公知のポンプが適用可能である。また、バッテリーを用いず、公知の手動用のポンプを用いることも可能である。
【００２０】
噴霧ノズル６は、赤ちゃんの頭部から離間した状態で固定され、本実施の形態では、ベビーカー１の日除け３に取り付けられているが、噴霧ノズル６の取り付け場所は、図１に示される位置に限られることはなく、いずれの位置に設けられても構わない。また、噴霧ノズル６は、たとえば図２に示すような、公知の球面軸受け８を用いることにより、角度、方向を調節することが可能であり、赤ちゃんの肌に水が直接かからないように調整することができる。また、噴霧ノズル６は、バネクリップ９により日除け３に取り付けることが可能である。噴霧ノズル６のベビーカー１への取り付けは、図２に示す構成に限られることはなく、公知の取付手段によりベビーカー１に取り付けることができる。また、噴霧ノズル６の数は、特に限定されるものではなく、１つでも構わないし、複数設けることもできる。噴霧ノズル６は、スプリンクラーのように放射状に広範囲に噴霧する形態の噴霧ノズルを用いてもよい。この場合、噴霧ノズル６に問題が生じた場合、ひとつのノズルを交換するだけでよく、手間がかからない。
【００２１】
また、図３に示されるように、ポンプ５にスイッチ１０を設けた場合は、ベビーカー１を押す者が手元でＯＮ／ＯＦＦ操作をすることができる。また、スイッチ１０にタイマー機能を持たせ、水を間欠的に噴霧するようにしてもよい。
【００２２】
本実施の形態のベビーカーによると、噴霧ノズル６によってミスト状の水が噴霧されることによって、噴霧されたミスト状の水が空気中で蒸発し、水が蒸発する際に発生する蒸発潜熱の熱量だけミストの周囲から熱が奪われ、赤ちゃんの周囲の雰囲気温度を低下させることができる。
【００２３】
ベビーカーでこの蒸発潜熱を利用する場合、空気１ｍ3あたり７〜２０ｇ／分の水を噴霧することにより、ベビーカー周囲の温度が概ね２〜３℃低下する。
【００２４】
この際、水の粒径が大きすぎると蒸発しにくく、赤ちゃんが濡れてしまうので、体感温度が低下したとしても、湿気によって不快感が高くなるので好ましくない。そこで、粒径が１０〜１５０μｍとなるように調節するための噴霧ノズル６を介して水が噴霧される。当該噴霧ノズル６としては、公知の細霧発生用スプレーノズルが用いられてもよい。
【００２５】
水の粒径が１０〜３０μｍである場合、ミスト状の水はセミドライフォグ（登録商標）と呼ばれる（霧のいけうち（登録商標）による霧の分級参照）、接触してもほぼ濡れることのないミストであり、ミストによって体が濡れて搭乗者が不快に感じることなく、蒸発潜熱の効果により涼感を得られる。
【００２６】
また、水の粒径が３０〜１００μｍである場合、ミスト状の水はきりと呼ばれ（霧のいけうち（登録商標）による霧の分級参照）、水の粒径が小さいので空気中ですぐに蒸発する。セミドライフォグ（登録商標）よりも一度に噴霧できる水量が多いので、きりが蒸発可能な気温であれば、セミドライフォグ（登録商標）よりも効率的に涼感を得ることができる。
【００２７】
さらに、水の粒径が１００〜１５０μｍである場合、ミスト状の水は霧雨と呼ばれ（霧のいけうち（登録商標）による霧の分級参照）、きりよりもさらに一度に噴霧できる水量が多いので、霧雨が蒸発し得る気温下においては、きりよりも効率的に涼感を得ることができる。
【００２８】
実施の形態２
図４に示される実施の形態２にかかわるベビーカーは、供給口１１から放出された水が、日除け１３に供給される点が、実施の形態１と異なる。
【００２９】
実施の形態２にかかわるベビーカー１は、図４に示されるように、シート部２に設けられたタンク４と、タンク４に接続されたポンプ５と、ポンプ５に配管７を介して連結され、ベビーカーの日除け１３の上方から水を放出する供給口１１とが設けられている。タンク４、ポンプ５、配管７は、実施の形態１と同様のものを用いることができる。本実施の形態では、日除け１３の上方に水を供給し、赤ちゃんの体の周辺に水を噴霧するわけではないので、実施の形態１と同様の噴霧ノズル６を用いる必要はなく、たとえば家庭用の日用品として採用されているシャワー、ホース、蛇口等を取り付けることが可能であり、コストを節減することができる。すなわち、本実施の形態では、ミスト状の噴霧をする必要がなく、日除け１３上に水を供給することができればよく、日除け１３上の水が蒸発することによる蒸発潜熱により、日除け１３周囲の温度を下げることにより、ベビーカー１を快適な温度にするものである。なお、本実施の形態においては、ミスト状の水を噴霧する必要はないが、もちろん実施の形態１と同様の噴霧ノズル６を用いることもできる。また、ポンプとしては、電動ポンプを用いる必要はなく、従来から公知の、シャンプーの容器などに用いられているプッシュ式のポンプを用いて水を吐出することも可能である。
【００３０】
本実施の形態では、ポンプ５によりタンク４内の水を吸い上げ、供給口１１より日除け１３上に水を噴射する。噴射された水は、熱くなった日除け１３や、太陽光により、日除け１３上で蒸発し、水から水蒸気になる際に、日除け１３周囲の温度を下げる。本実施の形態の場合、赤ちゃんには直接水がかからないため、放出される水は、霧状である必要はなく、シャワー状の噴射でもよく、日除け１３に水を供給できるものであれば、特に限定されることはない。
【００３１】
日除け１３は、ポリエステル、レーヨン、コットン等の繊維で構成された一般の布地等を用いることができるが、特に材質は限定されることはなく、合成樹脂等であってもよい。また、紫外線を反射するために、日除け１３の布地や合成樹脂からなる基層１３ａの上面に白の塗膜層１３ｂを設けることもできる。また、紫外線を吸収する黒の塗膜層を設けてもよく、特に限定されるものではない。なお、供給口１１は、日除け１３を濡らすことができればよく、放出される水の粒径は限定されるものではない。
【００３２】
本実施の形態によれば、日除け１３は、単に直射日光を防ぐという目的にとどまらず、屋外において熱くなった日除け１３の上方から水を放出することにより、日除け１３上の水が蒸発することによる蒸発潜熱の効果により、日除け１３周囲の温度を下げることができるという効果を奏する。したがって、夏の遊園地や海水浴場などの日差しがきつい屋外においても、ベビーカー内の赤ちゃんが水に濡れることなく、快適に過ごすことができる。
【００３３】
実施の形態３
図５に示されるように、実施の形態３のベビーカーは、赤ちゃんを載置するシート部を支持する支持構造体を備え、該支持構造体に設けられた日除け３の上方に、水が収容された容器１２が、前記支持構造体から延設された容器支持部１６を介して取り付けられている。容器支持部１６は、ベビーカー１の支持構造体に取付金具等により固定され、容器１２を支持するためのフックが設けられている。容器支持部１６は、容器１２を支持することができれば、どのような形状でも構わない。
【００３４】
容器１２には、水を放出するための供給口１４が設けられ、図５においては、供給口を塞ぐ栓１５により、供給口１４を開閉する。供給口１４を開閉する機構も水を所望の間開閉できる機構であれば特に限定されず、公知の開閉機構を用いることができる。
【００３５】
また、容器１２は、図５においては１つしか設けられていないが、放出したい水の量や場所に応じて複数設けることも可能であり、容器１２としては、パックでもボトルでも構わない。なお、容器１２に蓋を設け、開閉可能にすることにより、容器１２内に水を補充することが可能であり、外出先で水を補充することも可能である。
【００３６】
本実施の形態では、容器１２を日除け３の上方に設けることにより、ポンプおよび供給管が不要であり、コストを大幅に節減することができる。すなわち、日除け３の上方に容器１２を設置し、供給口１４を開くことにより、水は重力で下方に落下し、その落下した水が日除け３に供給されるので、日除け３上で蒸発した水の蒸発潜熱により、ベビーカー１周辺の温度を下げ、赤ちゃんにとって快適なベビーカーを提供することができる。
【００３７】
なお、実施の形態１、２および３を併用することも可能であり、赤ちゃんの体の周辺にミスト状の水を噴霧し、日除け３，１３の上方から水を供給すれば、蒸発潜熱の効果は一層高まる。
【００３８】
また、本考案において、噴霧する水の代わりに弱酸性水を噴霧することができる。弱酸性水には、殺菌効果、消臭効果および美容効果などがあり、弱酸性水を赤ちゃんの体の周辺に噴霧することで、単に水の蒸発潜熱を利用した雰囲気温度の低下だけでなく、臭い、乾燥などから赤ちゃんを保護することができる。なお、本実施の形態においては直線的に延びる配管を用いているが、これに限定されるものではなく、螺旋状に上方向に延びる配管なども含まれ得る。
【符号の説明】
【００３９】
１  ベビーカー
２  シート部
３、１３  日除け
４  タンク
５  ポンプ
６  噴霧ノズル
７  配管
８  軸受け
９  バネクリップ
１０  スイッチ
１１、１４  供給口
１２  容器
１５  栓
１６  容器支持部
Ｃ  収容部
Ｆ１、Ｆ２、Ｆ３  フレーム
【図１】
0003150694.tif 000003
【図２】
0003150694.tif 000004
【図３】
0003150694.tif 000005
【図４】
0003150694.tif 000006
【図５】
0003150694.tif 000007